(57)【要約】【課題】ティッシュ箱のための傾斜台では堅守なケースで製造されるため高価になると共に、傾斜ケース中ティッシュ箱を装着する操作も手間を要し、普及しにくい欠点があった。【解決手段】ティッシュ箱Ｋのミシン目Ｓで型取った引出口形成用蓋紙Ａ１を廃棄せずにこれを変形してティッシュ箱Ｋの外底面２ｂに装着してティッシュ箱Ｋを傾斜して載置できるような支持構造とし、病床の患者が枕元において腕や手を水平方向に伸ばしてその姿勢のままティッシュＴを横方向に引出すことができる組み立て式のティッシュ箱傾斜支持型紙Ａを提供する。【選択図】図７
2018027806.tif 000002
【特許請求の範囲】
【請求項１】
ティッシュを１枚毎に引き出し自在に収納したティッシュ箱の上面中央にミシン目で型取った引出口形成用蓋紙を形成すると共に該蓋紙の左右部には該蓋紙を引出口周辺の前記ミシン目より破断し抜取るための指差し込み部を形成し、前記指差し込み部は該蓋紙を破断して抜き取るために基端を折り曲げ自在とし先端を指押し込みにより切離可能な指挿入切離線とし、更には、前記引出口形成用蓋紙は中央部を凸状支持部とすると共に、その両側部に前記ティッシュ箱の外底面を傾斜して受け止め支持可能な傾斜受部を形成するための傾斜折曲げ線を裏面の型押し線によって形成し、しかも、前記ティッシュ箱の前記外底面中央には八字状に前記指差し込み部を差し込み固定するための切欠溝を形成したことを特徴とする組み立て式のティッシュ箱傾斜支持型紙。
【請求項２】
前記凸状支持部は弯曲状としたことを特徴とする請求項１に記載の組み立て式のティッシュ箱傾斜支持型紙。
【請求項３】
前記凸状支持部は前記型押し線を利用してコ字状に形成したことを特徴とする請求項１に記載の組み立て式のティッシュ箱傾斜支持型紙。
【請求項４】
前記引出口形成用蓋紙における前記傾斜折曲げ線は約４５度としたことを特徴とする請求項１から３の何れか１項に記載の組み立て式のティッシュ箱傾斜支持型紙。
【発明の詳細な説明】
【技術分野】
【０００１】
この発明は、ティッシュ箱を前面傾斜状に載置して前面よりティッシュを抜き取りやすくした組み立て式のティッシュ箱傾斜支持型紙に関する。
【背景技術】
【０００２】
従来、ティッシュ箱は上面にミシン目でティッシュ取出口を長方形に刻設しておき、使用に際してはこのミシン目から刻設部分を破断してティッシュ取出口を形成する。
【０００３】
このようにして開口した長方形のティッシュ取出口には予め樹脂シートが張設してあり、樹脂シート中央の切り口から指を差し入れて内収容のティッシュを摘まみ出すことができるように構成されている。
【０００４】
従って、通常ティッシュ箱を使用するに際しては箱上面の樹脂シート切り口から指で摘まんだティッシュを上方に引き上げることによりティッシュを取り出す。
【０００５】
しかし、病床に伏した病人等は通常枕元にティッシュ箱を置くために必要な時に手を延ばして指でティッシュを上方に引き出してティッシュを取り出すことが必要となる。かかる動作は最終的にはティッシュを垂直に上方に引き抜かなけばならないという必然性を伴う。
【０００６】
そのため病床に伏した病人は自己の水平に差し延ばした腕や手でティッシュ箱上面からティッシュを垂直上方に引出す動作が必要となるが、かかる動作は腕や手に無用の負荷をかけることになり病人に無用の苦痛を生起する。
【０００７】
かかる状況を改善すべく、例えば特許文献１に記載のようなティッシュ箱のための傾斜台が開発されている。
【先行技術文献】
【特許文献】
【０００８】
【特許文献１】特開２００５−１５３９９５号
【発明の概要】
【発明が解決しようとする課題】
【０００９】
これらはティッシュ箱の上方から垂直にティッシュを取り出さずに箱傾斜に沿ってやや水平方向からティッシュを引き出すことができるのでその用途の理にかなっているが、堅守なケースで製造されるため高価になると共に、傾斜ケース中にティッシュ箱を装着する操作も手間を要し、普及しにくい欠点があった。更には、ティッシュ取出口の紙片を破断した後は紙片をゴミとして捨てていた。
【００１０】
本発明は、上記課題を解決するものであり、ティッシュ箱のミシン目で型取った引出口形成用蓋紙を廃棄せずにこれを変形してティッシュ箱の外底面に装着してティッシュ箱を傾斜して載置できるような支持構造とし、病床の患者が枕元において腕や手を水平方向に伸ばしてその姿勢のままティッシュを横方向に引出すことができると共に、従来捨てていたティッシュ取出口の紙片を有効に利用して紙資源の有効活用ができる組み立て式のティッシュ箱傾斜支持型紙を提供することを目的としている。
【課題を解決するための手段】
【００１１】
以上のような目的を達成するために、本発明は以下のようなものを提供する。
【００１２】
請求項１に係る発明では、ティッシュを１枚毎に引き出し自在に収納したティッシュ箱の上面中央にミシン目で型取った引出口形成用蓋紙を形成すると共に該蓋紙の左右部には該蓋紙を引出口周辺の前記ミシン目より破断し抜取るための指差し込み部を形成し、前記指差し込み部は該蓋紙を破断して抜き取るために基端を折り曲げ自在とし先端を指押し込みにより切離可能な指挿入切離線とし、更には、前記引出口形成用蓋紙は中央部を凸状支持部とすると共に、その両側部に前記ティッシュ箱の外底面を傾斜して受け止め支持可能な傾斜受部を形成するための傾斜折曲げ線を裏面の型押し線によって形成し、しかも、前記ティッシュ箱の前記外底面中央には八字状に前記指差し込み部を差し込み固定するための切欠溝を形成したことを特徴とする組み立て式のティッシュ箱傾斜支持型紙を提供せんとするものである。
【００１３】
請求項２に係る発明では、前記凸状支持部は弯曲状としたことを特徴とする請求項１に記載の組み立て式のティッシュ箱傾斜支持型紙。
【００１４】
請求項３に係る発明では、前記凸状支持部は前記型押し線を利用してコ字状に形成したことを特徴とする請求項１に記載の組み立て式のティッシュ箱傾斜支持型紙。
【００１５】
請求項４に係る発明では、前記引出口形成用蓋紙における前記傾斜折曲げ線は約４５度としたことを特徴とする請求項１から３の何れか１項に記載の組み立て式のティッシュ箱傾斜支持型紙。
【発明の効果】
【００１６】
この発明によれば、従来使用されているティッシュ箱の形成時に、予め引出口形成用蓋紙の裏面に型押し線によって、将来、組立て時に機能する凸状支持部や傾斜折曲げ線による傾斜受部等を形成しておく。そして、ティッシュ箱上面から引出口形成用蓋紙をミシン目から破断して取り去るとティッシュ引出口が形成されて、そこからティッシュペーパーを引出すことが可能となる。
【００１７】
このようにティッシュを引き出すことができるように構成したティッシュ箱において、ティッシュ引出口が斜め手前に傾斜するように箱を傾斜支持する場合は予めミシン目から取り去った引出口形成用蓋紙を変形組み立てして利用する。
【００１８】
すなわち、引出口形成用蓋紙を裏面の型押し線に沿って左右の傾斜折曲げ線より折曲して左右外側方部分に箱裏面当接部を形成し、これらの内側方部分を左右傾斜受部とすると共に、左右傾斜受部間を弯曲状或いはコ字状に折曲して凸状支持部を形成し、次いで箱裏面当接部の中央に位置する指差し込み部を折曲線より外側方向に打ち起こし、打ち起こした指差し込み部をティッシュ箱の外底面に設けた八字位置の切欠溝中に差し込んで左右の箱裏面当接部とティッシュ箱の外底面とを密着させると中央部の凸状支持部により水平面にティッシュ箱を手前傾斜状に支持することができる。
【００１９】
この場合、ティッシュ箱前面の傾斜角度は、傾斜折曲げ線の角度によって決定されることになり、この角度を４５度より小さくするとティッシュ箱の傾斜は小さく平坦姿勢に近い傾斜となり、反対に４５度より大きくするとティッシュ箱の傾斜は大きく垂直姿勢に近い傾斜となる。
【００２０】
このように、予めティッシュ箱の一部であった引出口形成用蓋紙を変形利用してティッシュ箱を傾斜姿勢としてティッシュペーパーを斜めから引出すことができるため、特別にティッシュ箱の傾斜載置用の台を必要とすることなく、簡単に、かつ、安価にティッシュ箱を安定した傾斜姿勢とすることができる。
【００２１】
特にティッシュ箱に予め引出口形成用蓋紙として構成されている部分を利用して変形組み立てを行い箱傾斜姿勢を得ることができるため、ティッシュ箱以外に余分の構成部材を必要とせず安価で簡単に組み立て式のティッシュ箱傾斜支持型紙とすることができ、その結果、ティッシュ箱の有効な傾斜使用形態の実現が容易に行える効果がある。
【図面の簡単な説明】
【００２２】
【図１】（ａ）は本発明の傾斜支持型紙使用状態のティッシュ箱の斜視図で、（ｂ）は側面図である。
【図２】本発明の傾斜支持型紙を有するティッシュ箱形成のための原紙の引出しから型押しまでのプロセスを実施するための装置の説明図である。
【図３】本発明の傾斜支持型紙を有するティッシュ箱の展開紙の形成過程を示す説明図である。
【図４】本発明の傾斜支持型紙における型押し線形成の作業状態を示す説明図である。
【図５】本発明の傾斜支持型紙を有するティッシュ箱へティッシュが収納された状態を示す説明図である。
【図６】ティッシュを収納した本発明の傾斜支持型紙を有するティッシュ箱を示す斜視図である。
【図７】本発明の傾斜支持型紙を有するティッシュ箱の展開説明図である。
【図８】（ａ）は本発明の引出口形成用蓋紙の平面図で、（ｂ）は底面図である。
【図９】図８（ｂ）のＡ−Ａ線拡大断面図である。
【図１０】（ａ）は本発明の傾斜支持型紙の平面図で、（ｂ）は正面図で、（ｃ）は側面図である。
【図１１】本発明の傾斜支持型紙を有するティッシュ箱において引出口形成用蓋紙をミシン目から破断している状態の説明図である。
【図１２】本発明の傾斜支持型紙をティッシュ箱外底面に装着する状態の説明図である。
【図１３】本発明の傾斜支持型紙をティッシュ箱外底面に装着した状態の背面図である。
【図１４】本発明の傾斜支持型紙をティッシュ箱外底面に装着した状態の底面図である。
【図１５】（ａ）、（ｂ）は傾斜支持型紙の変形例を示す部分拡大平面図である。
【発明を実施するための形態】
【００２３】
本発明は、ティッシュを１枚毎に引き出し自在に収納したティッシュ箱の上面中央にミシン目で型取った引出口形成用蓋紙を形成すると共に該蓋紙の左右部には該蓋紙を引出口周辺のミシン目より破断し抜取るための指差し込み部を形成し、指差し込み部は該蓋紙を破断して抜き取るために基端を折り曲げ自在とし先端を指押し込みにより切離可能な指挿入切離線とし、更には、引出口形成用蓋紙は中央部を凸状支持部とすると共に、その両側部にティッシュ箱の外底面を傾斜して受け止め支持可能な傾斜受部を形成するための傾斜折曲げ線を裏面の型押し線によって形成し、しかも、ティッシュ箱の外底面中央には八字状に指差し込み部を差し込み固定するための切欠溝を形成した組み立て式のティッシュ箱傾斜支持型紙に関する。
【００２４】
また、凸状支持部は弯曲状とし、また、凸状支持部は型押し線を利用してコ字状に形成し、また、引出口形成用蓋紙における傾斜折曲げ線は約４５度としたことを特徴とする。
【００２５】
以下、本発明の実施例及び変形例を図１〜図１５を用いて具体的に詳説する。
【００２６】
図１（ａ）に示すのは本発明の傾斜支持型紙使用状態のティッシュ箱の斜視図であり、Ｋは、組み立て式のティッシュ箱傾斜支持型紙Ａを有するティッシュ箱を示す。
【００２７】
ティッシュ箱Ｋは、方形の箱であり内部にティッシュＴを多数重ねて収納しており、図１（ｂ）に示すように上面のティッシュ引出し口１０から内部のティッシュＴを一枚ずつ引出し自在に構成されている。
【００２８】
かかるティッシュ箱Ｋは、図２に示すようにティッシュ箱Ｋの基となる原紙Ｋ１の引出しから型押しまでを処理する型押し製造装置Ｄによりティッシュ箱展開紙Ｋ３を形成し、これを箱状に組立ることにより製造される。
【００２９】
ティッシュ箱Ｋは、図３に示すように、まず展開状態の型紙Ｋ２に加工形成される。
【００３０】
このように展開状態の型紙Ｋ２に加工形成され、ティッシュ箱展開紙Ｋ３には図４に示すように型押し線が押圧刃により形成される。
【００３１】
また、ティッシュ箱Ｋには図５に示すように内部にティッシュＴが積層収納される。
【００３２】
図６は、ティッシュ箱ＫへティッシュＴが収納された状態の斜視図を示している。
【００３３】
図７は、本発明の傾斜支持型紙Ａを有するティッシュ箱Ｋの展開説明図を示している。
【００３４】
かかるティッシュ箱Ｋの上面２ａのティッシュ引出し口１０は、ミシン目Ｓにより長楕円形に形成された引出口形成用蓋紙Ａ１の破断により形成されて該蓋紙Ａ１をミシン目Ｓから破断除去すればティッシュ引出し口１０に張設された中央線切れ目を有する樹脂シート１１が現れる。
【００３５】
図１１は、本発明の傾斜支持型紙Ａを有するティッシュ箱Ｋにおいて引出口形成用蓋紙Ａ１をミシン目Ｓから破断している状態の説明図を示している。
【００３６】
図８（ａ）は、引出口形成用蓋紙Ａ１の平面図であり、図８（ｂ）は、図８（ａ）との位置関係を合わせた引出口形成用蓋紙Ａ１の底面図であり、図９は、図８（ｂ）のＡ−Ａ線拡大断面図を示している。図１０（ａ）は、傾斜支持型紙Ａの平面図であり、図１０（ｂ）は、傾斜支持型紙Ａの正面図であり、図１０（ｃ）は、傾斜支持型紙Ａの側面図を示している。
【００３７】
このようにミシン目Ｓから破断除去した引出口形成用蓋紙Ａ１には各種の型押し線が刻印されており、この線から折曲して組み立てることにより図１２に示すように本発明の組み立て式のティッシュ箱傾斜支持型紙Ａが構成される。
【００３８】
すなわち、図７及び図８（ａ）、（ｂ）に示すように、引出口形成用蓋紙Ａ１の左右部に位置する箱裏面当接部２４，２４には該蓋紙Ａ１を引出し口１０周辺のミシン目Ｓより破断し抜取るための指差し込み部２１，２１を形成し、指差し込み部２１は基端を折り曲げ自在の折曲線２１ａとし、先端を指押し込みにより切離可能な指挿入切離線２１ｂとし、更には、引出口形成用蓋紙Ａ１は中央部を凸状支持部２２とすると共に、その両側部にティッシュ箱Ｋの外底面２ｂを傾斜して受け止め支持可能な傾斜受部２３，２３を形成するための傾斜折曲げ線２３ａ，２３ａを裏面の型押し線２０によって形成して構成されている。
【００３９】
換言すると、傾斜折曲げ線２３ａの外側方部分は指差し込み部２１を略中央に形成した箱裏面当接部２４とし、内側方部分を傾斜受部２３として形成している。
【００４０】
同時に本体のティッシュ箱Ｋの外底面２ｂには切欠溝１２（図７参照）が形成されている。なお、引出口形成用蓋紙Ａ１における指差し込み部２１の変形例としては、図１５（ａ）及び図１５（ｂ）のような形状も可能であり、図中符号２１ｃは折曲げ線を示している。
【００４１】
図１５（ａ）に示す指差し込み部２１は、内側に凸状の半円弧状とした指挿入切離線２１ｂを箱裏面当接部２４の中央に形成すると共に基端を上下に伸延した折曲げ線２１ｃにより折り曲げ自在に形成している。
【００４２】
また、図１５（ｂ）に示す指差し込み部２１は、外側に凸状の半円弧状とした指挿入切離線２１ｂを箱裏面当接部２４の中央に形成すると共に基端を上下に伸延した折曲げ線２１ｃにより折り曲げ自在に形成している。
【００４３】
図９及び図１０に示すように、上記の引出口形成用蓋紙Ａ１を型押し線２０から折曲してティッシュ箱傾斜支持型紙Ａが完成する。組み立て形成した状態で、特に引出口形成用蓋紙Ａ１の左右の箱裏面当接部２４，２４に形成した打ち起こし片である指差し込み部２１，２１を打ち起こしてティッシュ箱Ｋの外底面２ｂの切欠溝１２に差し込む（図１２参照）。
【００４４】
図１３は、本発明の傾斜支持型紙Ａをティッシュ箱の外底面２ｂに装着した状態の背面図であり、図１４は、本発明の傾斜支持型紙Ａをティッシュ箱の外底面２ｂに装着した状態の底面図を示している。
【００４５】
引出口形成用蓋紙Ａ１の左右の箱裏面当接部２４，２４は、図１（ｂ）、図１２に示すようにティッシュ箱Ｋの外底面２ｂに当接し、傾斜受部２３，２３を介して中央に位置する凸状支持部２２は湾曲状になってティッシュ箱載置平面上にティッシュ箱Ｋを傾斜して支持する。特に傾斜折曲げ線２３ａ，２３ａが傾斜しているので凸状支持部２２も傾斜状態でティッシュ箱Ｋを受け止めて支持する。
【００４６】
このようにして引出口形成用蓋紙Ａ１をミシン目Ｓから破断して折り曲げ加工して所定の形状に組み立てることによりティッシュ箱Ｋを傾斜して支持する。
【００４７】
凸状支持部２２は、予め形成した支持部折り曲げ線２２ａ，２２ａを折曲することにより平面視略コ字状に形成する。
【００４８】
なお、凸状支持部２２は、ティッシュ箱Ｋを傾斜して支持することができるように平面視半円弧状に形成することもできる。
【００４９】
ティッシュ箱Ｋの外底面２ｂに形成した切欠溝１２，１２は、図１２に示すようにティッシュ箱Ｋの外底面２ｂ中央に八字状に二個形成されて引出口形成用蓋紙Ａ１の左右の指差し込み部２１，２１を挿入可能に構成している。
【００５０】
ここで必要なことは、傾斜支持されたティッシュ箱Ｋから略水平にティッシュＴを引き出すに際してティッシュ箱Ｋが前面、すなわち引出し方向に倒伏しない傾斜角度を形成することである。
【００５１】
そのために、図８（ａ）に示す傾斜折曲げ線２３ａ，２３ａの角度θをどの程度に形成するかが重要であり、その適正な角度θは実施検証の結果以下の範囲が適正であると結論できる。
【００５２】
ティッシュ箱Ｋから良好にティッシュＴを引き出しやすい角度θとしては２５度から４５度が好ましい。角度θが２５度未満となると取り出しやすくなる効果が低減し、４５度を超えるとティッシュ箱Ｋが手前側に転倒してしまう可能性が高くなる。
【００５３】
ティッシュＴを取り出しやすい角度はティッシュ箱Ｋを載置する場所によって異なり、例えば、ティッシュ箱Ｋを前面開口したボックス家具内に載置した場合には、同家具の天井が邪魔となり直上にティッシュＴを引き出しにくいが、ティッシュ箱Ｋに傾斜を設けることで、同家具の前面開口から斜め上方にティッシュＴを引き出し易くなる。特に高齢者はティッシュ箱Ｋの上方向にティッシュＴを摘み上げる行為がやりにくい傾向があり、ティッシュ箱Ｋを傾斜することによりティッシュＴを手前に引き取る方が余分な力も必要とせず取り出しやすい。
【００５４】
ティッシュ箱Ｋの重心点は、同箱内のティッシュＴの満載量により変化する。ティッシュ箱Ｋのティッシュ引出し口１０からティッシュＴを手前方向に引き取る力も加味して、ティッシュＴが満載状態においてティッシュ箱Ｋの重心がティッシュ箱Ｋの垂直線の後ろ側にあることがティッシュ箱Ｋの転倒対策で必要となり、これらの点を考慮して角度θを決める。
【００５５】
この発明の特徴的な要素は、引出口形成用蓋紙Ａ１はティッシュ箱Ｋのティッシュ引出し口１０を構成する箱上面２ａを兼用していると共に、必要に応じてミシン目Ｓから破断切除できること、及びこの引出口形成用蓋紙Ａ１は傾斜折曲げ線２３ａによって一定形状に組立ててティッシュ箱Ｋの外底面２ｂに装着することにより箱を傾斜状に支持することができることにある。
【００５６】
このように本発明に係る組み立て式のティッシュ箱傾斜支持型紙Ａは、予めティッシュ箱Ｋの一部であった引出口形成用蓋紙Ａ１を変形利用してティッシュ箱Ｋを傾斜姿勢としてティッシュペーパーＴを斜めから引出すことができるため、特別にティッシュ箱Ｋの傾斜載置用の台を必要とすることなく、簡単に、かつ、安価にティッシュ箱Ｋを安定した傾斜姿勢とすることができる。
【００５７】
特にティッシュ箱Ｋに予め引出口形成用蓋紙Ａ１として構成されている部分を利用して変形組み立てを行い箱傾斜姿勢を得ることができるため、ティッシュ箱Ｋ以外に余分の構成部材を必要とせず安価で簡単に組み立て式のティッシュ箱傾斜支持型紙Ａとすることができ、その結果、ティッシュ箱Ｋの有効な傾斜使用形態を容易に実現することができる。
【００５８】
以上、上述した実施例を通して本発明を説明してきたが、本発明はこれらに限定されるものではない。また、上述した各種効果は、本発明から生じる最も好適な効果を列挙したに過ぎず、本発明による効果は、実施例に記載されたものに限定されるものではない。
【符号の説明】
【００５９】
Ａ  ティッシュ箱傾斜支持型紙
Ａ１  引出口形成用蓋紙
Ｋ  ティッシュ箱
Ｓ  ミシン目
Ｔ  ティッシュ
２ａ  上面
２ｂ  外底面
１０  ティッシュ引出し口
１２  切欠溝
２０  型押し線
２１  指差し込み部
２１ｂ  指挿入切離線
２２  凸状支持部
２３  傾斜受部
２３ａ  傾斜折曲げ線
【図１】
2018027806.tif 000003
【図２】
2018027806.tif 000004
【図３】
2018027806.tif 000005
【図４】
2018027806.tif 000006
【図５】
2018027806.tif 000007
【図６】
2018027806.tif 000008
【図７】
2018027806.tif 000009
【図８】
2018027806.tif 000010
【図９】
2018027806.tif 000011
【図１０】
2018027806.tif 000012
【図１１】
2018027806.tif 000013
【図１２】
2018027806.tif 000014
【図１３】
2018027806.tif 000015
【図１４】
2018027806.tif 000016
【図１５】
2018027806.tif 000017
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
ティッシュを１枚毎に引き出し自在に収納したティッシュ箱の上面中央にミシン目で型取った引出口形成用蓋紙を形成すると共に該蓋紙の左右部には該蓋紙を引出口周辺の前記ミシン目より破断し抜取るための指差し込み部を形成し、前記指差し込み部は該蓋紙を破断して抜き取るために基端を折り曲げ自在とし先端を指押し込みにより切離可能な指挿入切離線とし、更には、前記引出口形成用蓋紙は中央部を凸状支持部とすると共に、その両側部に前記ティッシュ箱の外底面を傾斜して受け止め支持可能な傾斜受部を形成するための傾斜折曲げ線を裏面の型押し線によって形成し、しかも、前記ティッシュ箱の前記外底面中央には八字状に前記指差し込み部を差し込み固定するための切欠溝を形成したことを特徴とする組み立て式のティッシュ箱傾斜支持型紙。
【請求項２】
前記引出口形成用蓋紙は、前記凸状支持部と前記傾斜受部との間を折り曲げ自在とする支持部折り曲げ線を裏面の型押し線によって形成し、前記支持部折り曲げ線を利用して前記凸状支持部及びその両側部の前記傾斜受部によりコ字状に形成したことを特徴とする請求項１に記載の組み立て式のティッシュ箱傾斜支持型紙。
【請求項３】
前記引出口形成用蓋紙は長楕円形に形成し、該蓋紙の長手方向の前記左右部に前記指差し込み部を形成すると共に、前記傾斜折曲げ線は該蓋紙の長手方向を基準として約４５度に形成したことを特徴とする請求項１又は２に記載の組み立て式のティッシュ箱傾斜支持型紙。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項２に係る発明では、前記引出口形成用蓋紙は、前記凸状支持部と前記傾斜受部との間を折り曲げ自在とする支持部折り曲げ線を裏面の型押し線によって形成し、前記支持部折り曲げ線を利用して前記凸状支持部及びその両側部の前記傾斜受部によりコ字状に形成したことを特徴とする請求項１に記載の組み立て式のティッシュ箱傾斜支持型紙。
【手続補正４】
【補正対象書類名】明細書
【補正対象項目名】００１５
【補正方法】変更
【補正の内容】
【００１５】
請求項３に係る発明では、前記引出口形成用蓋紙は長楕円形に形成し、該蓋紙の長手方向の前記左右部に前記指差し込み部を形成すると共に、前記傾斜折曲げ線は該蓋紙の長手方向を基準として約４５度に形成したことを特徴とする請求項１又は２に記載の組み立て式のティッシュ箱傾斜支持型紙。